(57)【特許請求の範囲】
【請求項１】
電池のファストンタブ端子と電気接続する基板部と、計測器のリード線と圧着により電気接続する圧着部とからなる２個の端子が、絶縁スリーブ内に所定間隔を開けて固定された計測用端子であって、前記２個の端子の基板部にはそれぞれ前記ファストンタブ端子の側部を圧入して電気接続するための溝が形成され、該溝が対向して設けられていることを特徴とする計測用端子。
【請求項２】
前記基板部の溝の断面形状がC字状であることを特徴とする請求項1に記載の計測用端子。
【発明の詳細な説明】
【技術分野】
【０００１】
本発明は、電池の電圧や内部抵抗を計測する際に電池のファストンタブ端子に取り付ける計測用端子に関する。
【背景技術】
【０００２】
非常用電源などとして使用される電池は、直並列に多数接続され、電源に負荷と並列に電気接続されて常時充電され、電源が停電したときは、前記多数接続された電池から無瞬断で負荷に電力が供給される。そして、これら電池は停電時に備えて、電圧や内部抵抗が定期的に検査される。この検査は負荷が稼動しているときは、電池は原則として切り離せないため、電源に接続された状態で行われる。
【０００３】
この検査は、例えば、図７に示すように、電池の端子１１の周囲に一体型の計測用端子１２をボルト１３により固定し、計測用端子１２に設けられた端子片１４に計測器のリード線（図示せず。）を電気接続して行われていた（特許文献１）。
【０００４】
しかしながら、前記計測用端子１２は一体型のため、交流４端子法で内部抵抗を計測する場合、端子片１４に電流を流すリード線と電圧をモニタするリード線とを接続すると、両者が電気的に干渉し合って内部抵抗を正確に計測できないという問題があった。
電池の端子１１にもう１つ別の計測用端子１２を取り付けて計測する方法は、電池の端子１１部分が狭い場合はスペース的に困難であった。
【０００５】
このような状況にあって、本願出願人は、電池の端子と接触する中央部以外では相互に電気的に絶縁された２個の端子片を備えた計測用端子を開発した（実願２００７−５６２３）。この計測用端子によれば、前記電気的に絶縁された２個の端子片の一方に電流を流すリード線を接続し、他方に電圧をモニタするリード線を接続することにより４端子法による内部抵抗の計測が正確に行える。
【特許文献１】特開２００３−１２１４６１号公報
【発明の開示】
【発明が解決しようとする課題】
【０００６】
一方、電池の端子が比較的小さい平板状のファストンタブ端子１（図８参照）を用いている電池についても、交流４端子法による内部抵抗の計測が正確に行える計測用端子の開発が望まれている。図８で１５は電槽蓋、１６は電槽である。
本発明は、電池の端子がファストンタブ端子からなる電池に適した、交流４端子法による内部抵抗の計測などが正確に行える計測用端子の提供を目的とする。
【課題を解決するための手段】
【０００７】
請求項１に記載した発明は、電池のファストンタブ端子と電気接続する基板部と、計測器のリード線と圧着により電気接続する圧着部とからなる２個の端子が、絶縁スリーブ内に所定間隔を開けて固定された計測用端子であって、前記２個の端子の基板部にはそれぞれ前記ファストンタブ端子の側部を圧入して電気接続するための溝が対向して設けられていることを特徴とする計測用端子である。
【０００８】
請求項２に記載した発明は、前記基板部の溝の断面形状がC字状であることを特徴とする請求項1に記載の計測用端子である。
【発明の効果】
【０００９】
本発明の計測用端子は、電池のファストンタブ端子を接続する基板部と計測器のリード線を接続する圧着部とからなる端子２個を、絶縁スリーブ内に所定間隔を開けて固定したもので、前記２個の端子の一方の端子の圧着部に計測器の電流を流すリード線を接続し、他方の端子の圧着部に電圧をモニタするリード線を接続することにより、両リード線の相互干渉が回避され交流４端子法による内部抵抗の計測が正確に行われる。
【００１０】
前記基板部とファストンタブ端子の接続は前記基板部に設けた溝にファストンタブ端子の側部を圧入して行い、前記圧着部と計測器のリード線の接続は圧着により行うので、いずれの接続作業も容易に行える。
【００１１】
前記基板部の溝の断面形状をC字状とすることにより、端子とファストンタブ端子との電気接続がより良好に行える。
【発明を実施するための最良の形態】
【００１２】
本発明の計測用端子は、図1（イ）に示すように、電池のファストンタブ端子１を電気接続するための基板部２と、計測器のリード線を電気接続するための圧着部４とからなる端子５を２個用意しこれを絶縁スリーブ６内に所定間隔を開けて固定されたもので、前記圧着部４には計測器の電流を流すリード線３ａ又は電圧をモニタするリード線３ｂが圧着により個々に接続されている。絶縁スリーブ６内の２個の端子５は、その基板部２が断面コ字状に折り曲げられて溝２ａが形成され、その開口部２ｂは互いに対向させて固定されており、前記対向する２個の溝２ａの開口部２ｂにはファストンタブ端子１の両側部１ａ、１ｂがそれぞれ圧入される。図中１ｃはファストンタブ端子１に穿たれた穴である。
【００１３】
図１（ロ）に示す様に、計測用端子は、次のようにして組み立てられる。
即ち、２個の端子５の各圧着部４にそれぞれ計測器の電線の被覆を剥いで露出した前記リード線３ａ、３ｂを通し、圧着部４を圧着工具で圧縮してそれぞれリード線３ａ、３ｂを圧着する。次に前記２個の端子５を溝２ａの開口部２ｂ（図１（イ）参照）を対向させて絶縁スリーブ６内に挿入する。絶縁スリーブ６は凹形状をなし、広い胴部６ａと脚部６ｂからなり、２個の端子５はその基板部２が胴部６ａに位置し、圧着部４が脚部６ｂに位置する。２個の端子５はその圧着部４が脚部６ｂの内周面に密着することにより固定されている。これを２個の端子５の基板部２の間隔はファストンタブ端子１の両側部１ａ、１ｂがそれぞれ２個の基板部２の溝２ａ内に収容される間隔になっている。なお、図１（ロ）では、ファストンタブ端子１の全面を絶縁スリーブ６が覆う様な計測用端子を示したが、端子５の基板部２長さを短くし、ファストンタブ端子２に計測用端子を装着した際にファストンタブ端子１の先端部のみが絶縁スリーブ６で覆われる様にし、露出したファストンタブ端子に、電池を直並列するための、或いは負荷に接続するための電池接続体を溶接やボルトナットによる締結で接続する様にしても良い。
【００１４】
図２に示す様に、端子５の溝２ａの開口部２ｂの開口幅ｔはファストンタブ端子側部１ａ、１ｂの厚みＴ（図３参照）より若干小さくなっていて、溝２ａの開口部２ｂにファストンタブ端子側部１ａ（１ｂ）を圧入すると、開口部２ｂが弾性変形して拡開し、その復元力で溝開口部２ｂとファストンタブ端子側部１ａ（１ｂ）とが相互に密着して電気的に接続される。圧着部４も断面コ字状に形成されて、これに計測器のリード線３ａ（３ｂ）の先端露出部を挿通し該圧着部４を押し潰して圧着しリード線を接続している。
【００１５】
ここでは、２個の端子５を用い、基板部をファストンタブ端子２にそれぞれ接続し、圧着部４は絶縁スリーブ６の２個の脚部６ｂ内に別々に固定されるので、それぞれの圧着部４に接続された電流を流すリード線３ａと電圧をモニタするリード線３ｂとは相互に干渉し合うことがなく、内部抵抗が４端子法により正確に計測される。
【００１６】
図３は図１（ロ）のＡ−Ａ線断面図で、端子５の基板部２とファストンタブ端子１の接続は、絶縁スリーブ６の胴部６ａ内に所定間隔を開けて対向し固定された２個の端子５の基板部２の溝２ａにそれぞれファストンタブ端子の側部１ａ、１ｂを圧入して行うので接続が容易に行える。また端子５の圧着部４と計測器のリード線３ａ、３ｂの接続は圧着により行うので接続が容易に行える。
【００１７】
図４は図３と同様箇所の他の実施形態の断面図で、端子５の基板部２の断面形状をＣ字状としたものである。図３と同じ符号は同じものを示す。
【００１８】
本発明において、端子５を絶縁スリーブ６内に固定する方法は任意であるが、絶縁スリーブ６の内面に端子を密着させて固定する方法が簡便である。この場合、端子５の全体を密着させても、端子５の一部を密着させても良い。一部を密着させる場合は、圧着部４を密着させるのが絶縁スリーブ６の挿入が容易に行えて望ましい。
【００１９】
本発明において、端子５の製造は、導電性金属板を折り曲げ加工して行うのが簡便で推奨される。導電性金属板としては基板部に必要な弾性と圧着部に必要な耐クリープ性を兼備した材料が電気接続性が安定し望ましい。
【００２０】
本発明において、端子の基板部の溝の断面形状は、その開口部でファストンタブ端子の側部を挟圧し得る形状であればコ字状、Ｃ字状など任意であるが、特に図４に示す断面Ｃ字状のものはその溝開口部２ｂの拡開（弾性変形）時の復元力が大きいため、ファストンタブ端子１と良好に電気接続され、また外れ難いので推奨される。
【００２１】
本発明において、基板部２は、その溝開口部２ｂの先端２ｄを、図５に示すようにテーパー状に加工（角取り）しておくと、ファストンタブ端子を基板部２の溝２ａ内にスムーズに挿入（圧入）することができる。なお、図中図２と同じ符号は同じものを示す。
【００２２】
本発明の上記実施形態においては、図１（ロ）に示される様に、計測用端子の絶縁スリーブがファストンタブ端子の全面を覆うまで挿入した時は、電池同士を直並列に接続する場合或いは電池を負荷に接続する場合の電池接続体を接続する部分が無くなる。この様な場合は、図６に示す２つ片を持つ分岐用接続端子７を用い、その基部７ａの側端を湾曲することで形成された基部と湾曲先端との間隙にファストンタブ端子を挿通して接続し、一方の分岐端子片７ｂに本発明の計測用端子の基板部を接続し、他方の分岐端子片７ｃに直並列用或いは負荷用リード線を接続するようにすることが出来る。
【図面の簡単な説明】
【００２３】
【図１】本発明の計測用端子の実施形態を示す説明図で、（イ）は平面分解説明図、（ロ）はファストンタブ端子に接続した状態の平面説明図である。
【図２】図１（イ）に示した計測用端子の端子部分の正面説明図である。
【図３】図１（ロ）に示した計測用端子の基板部の横断面（Ａ−Ａ断面）説明図である。
【図４】本発明の計測用端子の他の実施形態を示す基板部の横断面説明図である。
【図５】本発明の計測用端子の更に他の実施形態を示す端子部分の正面説明図である。
【図６】分岐用接続端子の斜視説明図である。
【図７】従来の計測用端子の平面説明図である。
【図８】ファストンタブ端子を備えた電池の斜視説明図である。
【符号の説明】
【００２４】
１  ファストンタブ端子
１ａ、１ｂ  ファストンタブ端子の側部
２  端子の基板部
２ａ  基板部の溝
３ａ  電流を流すリード線
３ｂ  電圧をモニタするリード線
４  端子の圧着部
５  端子
６  絶縁スリーブ
【図１】
0004836909.tif 000002
【図２】
0004836909.tif 000003
【図３】
0004836909.tif 000004
【図４】
0004836909.tif 000005
【図５】
0004836909.tif 000006
【図６】
0004836909.tif 000007
【図８】
0004836909.tif 000008
【図７】
0004836909.tif 000009